(57)【要約】【課題】本発明は、水洗トイレの手洗い付きロータンクの手洗い部に載置することにより、ロータンク内に薬剤を安定的に供給することができ、しかも構造が簡単で製造コストの低い薬液吐出容器を提供する。【解決手段】液状の薬剤を収容する薬液タンク１と、薬液タンク１の底部に設けられている薬液吐出ノズル４とを有する薬液吐出容器１００Ａにおいて、薬液吐出ノズル４の先端近傍に、薬液吐出方向に対して略垂直方向となるように水受けプレート７を設ける。水受けプレート７は、薬液吐出ノズル４の外表面に、薬液吐出方向に平行に設けられた支持板９で保持することが好ましい。【選択図】　　図１
2004132099.tif 000002
【特許請求の範囲】
【請求項１】
液状の薬剤を収容する薬液タンクと、該薬液タンクの底部に設けられている薬液吐出ノズルとを有する薬液吐出容器であって、該薬液吐出ノズルの先端近傍に、薬液吐出方向に対して略垂直方向となるように水受けプレートが設けられている薬液吐出容器。
【請求項２】
該水受けプレートが、該薬液吐出ノズルの外表面に、薬液吐出方向に平行に設けられた支持板により薬液吐出容器に保持されている請求項１記載の薬液吐出容器。
【請求項３】
該水受けプレートが、円盤状プレートであり、その略中央部に薬液吐出ノズルから吐出される薬液が通過する開口部が設けられている請求項１又は２記載の薬液吐出容器。
【請求項４】
請求項１〜３のいずれかに記載の薬液吐出容器に、トイレ洗浄用液体が充填されてなるトイレ洗浄製品。
【発明の詳細な説明】
【０００１】
【発明の属する技術分野】
本発明は、水洗トイレの手洗い付きロータンクの手洗い部に載置し、手洗い部の上方のカランから給水される水に薬剤（芳香剤、洗浄剤、殺菌剤等）を混合するのに適した薬液吐出容器に関する。
【０００２】
【従来の技術】
従来、水洗トイレの手洗い付きロータンクの手洗い部に載置し、手洗い部の上方のカランから供給される水に薬剤（芳香剤、洗浄剤、殺菌剤等）を混合するために用いる薬液供給具として、液状の薬剤を収容する薬液タンク（薬剤容器）の底部に薬剤の導出孔を設けたものが知られている（特許文献１参照）。この薬液供給具においては、その導出孔から薬剤を含浸体に導出して含浸させると共に、その含浸体を、カランから手洗い部に供給された水の流れに晒されるようにし、含浸体に含まれていた薬剤を水に溶解させて、ロータンク内に流下させるようにしている。
【０００３】
【特許文献１】特開２００１−３４２６６６号
【０００４】
【発明が解決しようとする課題】
【０００５】
しかしながら、上述の薬液供給具は構造的に複雑であり、部品点数も多く、そのため製造コストが高いという問題がある。
【０００６】
このため、より単純な機構の薬液供給具として、図６（ａ）に示すように、液状の薬剤Ａを収容する薬液タンク１と薬液タンク１の底部開口部２に取り付けたキャップ３からなり、キャップ３に薬液吐出ノズル４と足６を設けた構造の薬液吐出容器１００ｘが考えられる。この薬液吐出容器１００ｘでは、薬液吐出ノズル４の先端開口部５に薬剤Ａが表面張力及び容器内の弱い負圧により保持されている。
【０００７】
このような薬液吐出容器１００ｘを、図６（ｂ）に示すように、ロータンクの手洗い部２０の吸水口２１上に載置し、カランから手洗い部２０に矢印のように水Ｗを供給した場合には、その水Ｗは薬剤Ａを保持した薬液吐出ノズル４を洗うようにしてロータンク内に流下し、従って、この薬液吐出容器１００ｘによれば、単純な機構で、カランからの給水の度に薬剤Ａをロータンク内に混入させることができる。ここで、薬液タンク１内は、ロータンク内へ供給された薬剤Ａの量に応じて負圧になるが、薬液吐出ノズル４の先端開口部５に付着していた薬剤の希釈液又は水と空気とがその先端開口部５から薬液タンク１内に入るので、薬液タンク１内は常圧に戻る。以降、カランから給水される度にこの作用が繰り返され、薬剤Ａがロータンク内に混入する。
【０００８】
しかしながら、図６に示した薬液吐出容器１００ｘの場合、トイレのロータンクのカランから流れ落ちる水Ｗが、薬剤Ａを保持した薬液吐出ノズル４を洗うようにしてロータンク内に流下することが必要であるが、便器の種類、カランから流出する水の水圧や水量、薬液吐出容器１００ｘとカランとの位置関係等がトイレ毎に異なるため、薬液吐出ノズル４が水Ｗで洗われる状態が安定しないという問題がある。場合により、水Ｗがほとんど薬液吐出ノズル４を洗わずに、ロータンクに流下してしまい、薬液Ａが吐出されないという事態や、薬液吐出ノズル４が過度に水Ｗで洗われていまい、薬液Ａが過剰に吐出されるという事態も生じうる。
【０００９】
本発明は、水洗トイレの手洗い付きロータンクの手洗い部に載置することにより、ロータンク内に薬剤を安定的に供給することができ、しかも構造が簡単で製造コストの低い薬液吐出容器を提供することを目的とする。
【００１０】
【課題を解決するための手段】
本発明者は、薬液吐出ノズルの先端近傍に、薬液吐出方向に対して略垂直方向となるように水受けプレートを設けることにより、流下してくる水がその水受けプレートにぶつかるので、流下してくる水の水圧や水量などがある程度変化したとしても、水受けプレート表面に短時間ではあるが水を盛ることができ、その盛られた水で薬液吐出ノズルの先端を効率良く且つ安定的に洗うことができることを見出し、本発明を完成させた。
【００１１】
即ち、本発明は、液状の薬剤を収容する薬液タンクと、該薬液タンクの底部に設けられている薬液吐出ノズルとを有する薬液吐出容器であって、該薬液吐出ノズルの先端近傍に、薬液吐出方向に対して略垂直方向となるように水受けプレートが設けられている薬液吐出容器を提供する。
【００１２】
また、本発明は、この薬液吐出容器に、トイレ洗浄用液体が充填されてなるトイレ洗浄製品を提供する。
【００１３】
【発明の実施の形態】
以下、図面を参照しつつ、本発明を詳細に説明する。なお、各図中、同一符号は同一または同等の構成要素を表している。
【００１４】
図１は、本発明の一態様の薬液吐出容器１００Ａの斜視図（同図（ａ））と断面図（同図（ｂ））である。
【００１５】
この薬剤吐出容器１００Ａは、トイレ用芳香剤、洗浄剤、殺菌剤等の液状の薬剤Ａを収容する薬液タンク１と、薬液タンク１の底部開口部２に取り付けられたキャップ３からなっている。キャップ３には薬液吐出ノズル４と足６が該キャップ３に一体的に設けられ、薬液吐出ノズル４の先端開口部５には、薬剤Ａが表面張力及び容器内の弱い負圧により保持される。
【００１６】
この薬液吐出容器１００Ａには、薬液吐出ノズル４の先端近傍に、薬液吐出方向に対して略垂直方向となるように水受けプレート７が設けられている。水受けプレート７としては、四角形プレートでも三角形プレートでもよいが、取り扱い性の向上のために、図１に示すような円盤状プレートを採用することが好ましい。また、水受けプレート７は孔や凹凸のないフラットプレートでもよいが、その略中央部に、薬液吐出ノズル４から吐出される薬液がロータンクへ容易に流下できるようにするための開口部７ａを設けることが好ましい。
【００１７】
また、水受けプレート７は、薬剤吐出容器１００Ａに固定されるが、その固定する手段としては特に限定されず、薬液吐出ノズル４の先端近傍に、薬液吐出方向に対して略垂直方向となるように設けられる種々の手段を採用することができる。例えば、図１に示すように、キャップ３の底面から伸びた棒状支持体８で薬液吐出容器１００Ａに保持することができる。
【００１８】
図１に示した棒状支持体８以外にも、薬液吐出ノズル４の部分斜視図である図２（ａ）〜（ｄ）に示すように、薬液吐出ノズル４の外表面に、薬液吐出方向に平行に設けられた支持板９で水受けプレート７を薬液吐出容器１００Ａに保持することができる。ここで、図２（ａ）の態様は薬液吐出ノズル４に対して２枚の支持板９を設けたものであり、図２（ｂ）の態様は薬液吐出ノズル４に対して４枚の支持板９を設けたものであり、図２（ｃ）の態様は薬液吐出ノズル４に対して設けられた４枚の支持板９の水受けプレート７側を一部切除したものであり、図２（ｄ）の態様は薬液吐出ノズル４に対して設けられた４枚の支持板９の対向する一組の支持板９の水受けプレート７側を切除して水受けプレート７から切り離したものである。
【００１９】
このような支持板９は、カランから給水された水を、薬液ノズル４の先端に誘導する機能を有するので、薬液の安定吐出という点から本発明においては好ましく使用することができる。このような支持板９としては、図２（ａ）〜（ｄ）に示すように、平坦な平板でもよいが、図２（ｅ）に示すように、湾曲していてもよい。また、支持板９の枚数は、実用性を考慮すると最大８枚程度である。
【００２０】
なお、天板１０Ａは、本発明においては必要に応じて設けられる。天板１０Ａを設けると、カランの水が薬液供給具１００Ａの真上から供給される場合に、水が薬液タンク１に直接的に当たることを防止し、それにより、薬液タンク１からの薬剤Ａの供給量を、水温あるいは気温の変動によらず、安定化させることができるので好ましい。また、カランから供給された水は天板１０Ａにそって放射状に流れ、美しい水のベールの外観を呈するので、薬液供給具の使用感を向上させる点からも好ましい。
【００２１】
この薬液供給具１００Ａの使用方法としては、図３に示すように、まず、薬剤Ａが薬液タンク１に収容されている状態において、薬液供給具１００Ａを水洗トイレの手洗い付きロータンクの手洗い部２０の吸水口２１上に載置する。この場合、薬液供給ノズル４を吸水口２１に挿入する。なお、ロータンクの吸水口２１上にカラン（図示せず）が設けられ、薬液タンク１の上方から水が供給される場合について、以下に説明するが、この薬剤吐出容器１００Ａは、ロータンクの吸水口２１上にはカランがなく、したがって、ロータンクの吸水口２１に薬液供給ノズル４を挿入した場合に、薬液タンク１の側方のカランから水が供給される場合でも、この薬液吐出容器１００Ａは使用することができる。
【００２２】
薬剤吐出容器１００Ａを手洗い部２０に載置後、水洗トイレの水がフラッシュされ、カランから水が供給されると、図３のように、水Ｗは、まず、天板１０Ａに沿って放射状に流れ、次いで薬液タンク１の側方を通って手洗い部２０に流れ、吸水口２１内に流れ込み、さらに薬液供給ノズル４に沿って流下し、水受けプレート７にぶつかり、短時間ではあるが水受けプレート７上に盛られ、その盛られた水が、薬液供給ノズル４の先端開口部５を洗い、そしてロータンク内に入る。従って、先端開口部５に保持されていた薬剤Ａが水Ｗでさらわれ、ロータンク内に混入することとなる。
【００２３】
具体的には、薬液吐出ノズル４先端近傍部分側面拡大図（図４（ａ）〜（ｄ））と下面図（図４（ｅ）〜（ｈ））に示すように、まず、カランから給水された水Ｗが、水誘導板としても機能する支持板９により薬液供給ノズル４の先端方向に誘導されて水受けプレート７にぶつかり、その結果、水受けプレート７上に盛られて薬液吐出ノズル４の先端開口部５に安定的かつ十分に接触する（図４（ａ）、図４（ｅ））。すると、薬液吐出ノズル４内の薬液Ａが水Ｗと置換すると共に（図４（ｂ）、図４（ｆ））、盛られた水Ｗへ拡散する。更に、連続的にカランから水受けプレート７上に水Ｗがぶつかっているので、薬液吐出ノズル４の先端近傍の水Ｗと薬剤Ａとの混合液量が増大する（図４（ｃ）、図４（ｇ））。水受けプレート７に保持できないほどの水と薬剤の混合液が溜まると、過剰の混合液が薬液吐出ノズル４からロータンクへ流下し、水受けプレート７上には、薬液濃度の高い混合液Ｍが盛られた状態となる（図４（ｄ）、図４（ｈ））。
【００２４】
なお、カランから水が供給されている間は、図４（ａ）〜（ｃ）を繰り返すことになり、水の供給が止まると図４（ｄ）の状態となる。
【００２５】
以上、図１、図３に示した態様は、いずれも薬液タンク１に薬液供給ノズル４を備えたキャップ３を有するものであるが、本発明はこれに限られず、図５に示すように、薬液吐出ノズル４を、薬液タンク１の底部開口部２に直接設置してもよい。
【００２６】
以上説明した本発明の薬液吐出容器は、部品点数も少なく構造も簡単なので、低コストで製造することができ、また、その薬液タンクに公知のトイレ洗浄用液体を充填することにより、便器の種類や水圧や水量の変化に左右されずに、安定的にトイレ洗浄用液体をトイレのロータンクに吐出できるトイレ洗浄製品として有用なものとなる。
【００２７】
【発明の効果】
本発明の薬液吐出容器によれば、水洗トイレの手洗い付きロータンクの手洗い部に載置することにより、ロータンク内に薬剤を安定的に吐出することができる。
【図面の簡単な説明】
【図１】本発明の薬液吐出容器の斜視図（同図（ａ））及び断面図（同図（ｂ））である。
【図２】本発明で使用できる具体的な薬液吐出ノズルの部分斜視図である（同図（ａ）〜（ｅ））。
【図３】本発明の薬液吐出容器の作用を示す全体説明図である。
【図４】薬液吐出ノズル先端近傍に注目した本発明の薬液吐出容器の作用を示す説明図である。
【図５】本発明の別の態様の薬液吐出容器の断面図である。
【図６】薬液吐出容器の斜視図（同図（ａ））及びその作用説明図（同図（ｂ））である。
【符号の説明】
１　　薬液タンク
２　　薬液タンクの底部開口部
３　　キャップ
４　　薬液吐出ノズル
５　　先端開口部
６　　足
７　　水受けプレート
８　　棒状支持体
９　　支持板
１００Ａ、１００ｘ　薬液吐出容器
Ａ　　薬剤
【図１】
2004132099.tif 000003
【図２】
2004132099.tif 000004
【図３】
2004132099.tif 000005
【図４】
2004132099.tif 000006
【図５】
2004132099.tif 000007
【図６】
2004132099.tif 000008